(57)【要約】【課題】  記録媒体の先端部の適正な位置合わせを行うことができ、記録媒体の位置ずれを防止して、プラテンローラの回転により安定して記録媒体を搬送する。【解決手段】  第１ガイド部材２０ａを、搬送される記録媒体２における記録ヘッド１６側に位置し、プラテンローラ３の周面であって記録媒体２の搬送方向におけるプラテンローラ３と記録ヘッド１６との圧接位置よりも下流側に、プラテンローラ３に対する記録ヘッド１６の圧接力より低い圧力によって当接させるように設ける。【選択図】      図１
2005305818.tif 000002
【特許請求の範囲】
【請求項１】
回転可能に設けられたプラテンローラと、
前記プラテンローラに圧接可能に設けられた記録ヘッドと、
記録媒体を前記プラテンローラと前記記録ヘッドとの圧接位置の方向に案内するガイド部材とを有し、
前記ガイド部材を、搬送される記録媒体における前記記録ヘッド側に位置し、前記プラテンローラの周面であって記録媒体の搬送方向における前記圧接位置よりも下流側に、前記プラテンローラに対する前記記録ヘッドの圧接力より低い圧力によって当接させるように設けたことを特徴とするプリンタ。
【発明の詳細な説明】
【技術分野】
【０００１】
本発明は、回転可能であってその回転により記録ヘッドとの間に挟持した記録媒体を搬送可能なプラテンを有するプリンタに関する。
【背景技術】
【０００２】
従来より、プラテンローラに対し記録媒体を介して記録ヘッドを圧接し、記録媒体上に所望の文字や図等からなる画像の記録を得るプリンタが多用されている。また、このようなプリンタにおいて、近年小型化や省電力化等の観点から、前記プラテンローラを回転可能に設けることにより、このプラテンローラの回転によってプラテンローラと記録ヘッドとの間に挟持した記録媒体を搬送可能なプリンタが用いられている。
【０００３】
図５は、従来のプリンタの一例を示す断面図、図６は、図５のプリンタの要部を示す拡大図である。
【０００４】
図５および図６に示すように、このプリンタ２５には、記録ヘッド２７がプラテンローラ２６の周面に対して圧接可能に設けられており、記録媒体２８は前記プラテンローラ２６と前記記録ヘッド２７との間を搬送されるようになっている。プリンタ２５におけるプラテンローラ２６の配設側とは他側（図５における右側）には、記録媒体２８を収納する用紙トレイ３０が設けられており、用紙トレイ３０の近傍には、記録媒体２８をプラテンローラ２６と記録ヘッド２７との圧接位置３１の方向に搬送するための給紙ローラ３２が設けられている。
【０００５】
プリンタ２５における用紙トレイ３０からプラテンローラ２６までの記録媒体２８の搬送経路３４には、記録媒体２８の両面側に前記記録媒体２８の搬送を案内するためのガイド部材３５が、給紙ローラ３２の近傍からプラテンローラ２６の周面近傍に至るように設けられている。
【０００６】
このようなプリンタ２５において、記録媒体２８は給紙ローラ３２の回転によって、用紙トレイ３０からガイド部材３５に案内されてプラテンローラ２６の周面に到達し、プラテンローラ２６の周面に当接しながらプラテンローラ２６と記録ヘッド２７との圧接位置３１まで搬送され、記録媒体２８の先端部が前記圧接位置３１に差し込まれることとなる。
【０００７】
このとき、図６に示すように、プラテンローラ２６を記録媒体２８の搬送方向と逆方向に回転させる。このように前記記録媒体２８に対し給紙ローラ３２の回転により搬送方向への力を加わえるとともに、前記記録媒体２８の先端部に対しプラテンローラ２６の回転により搬送方向と逆方向への力を加えることにより、記録媒体２８の先端部を前記圧接位置３１に差し込ませながら、記録媒体２８の搬送を停止させ、前記圧接位置３１において記録媒体２８の先端部の位置合わせを行う。
【０００８】
そして、記録媒体２８の位置合わせを行った後、プラテンローラ２６を搬送方向と同一方向に回転させてプラテンローラ２６の回転により記録媒体２８を搬送するとともに、記録ヘッド２７に設けられた所望の各発熱素子を発熱させることにより記録媒体２８上に所望の画像の記録を行っていた（例えば、特許文献１および特許文献２参照）。
【０００９】
しかし、記録媒体２８を介して記録ヘッド２７をプラテンローラ２６に圧接させることにより記録媒体２８上に記録を行う関係上、記録ヘッド２７はプラテンローラ２６に対して強く圧接されているので、搬送方向と逆方向に回転しているプラテンローラ２６に対し、記録媒体２８の先端部をプラテンローラ２６と記録ヘッド２７との圧接位置３１に深く差し込ませることが困難であった。このため、記録媒体２８の適正な位置合わせを行うことができない場合があり、記録媒体２８をプラテンローラ２６と記録ヘッド２７との間に十分挟持しないままプラテンローラ２６を搬送方向と同一方向に回転させると、このプラテンローラ２６の回転により記録媒体２８がスリップしてしまう。この結果、記録媒体２８の位置ずれが生じ、そのまま記録媒体２８が搬送されてしまうおそれがあるという問題を有していた。
【００１０】
【特許文献１】特開平８−３３７０２９号公報
【特許文献２】登録実用新案第２５５４３４９号公報
【発明の開示】
【発明が解決しようとする課題】
【００１１】
本発明はこれらの点に鑑みてなされたものであり、記録媒体の先端部の適正な位置合わせを行うことができ、記録媒体の位置ずれを防止して、プラテンローラの回転により安定して記録媒体を搬送することができるプリンタを提供することを目的とする。
【課題を解決するための手段】
【００１２】
前記目的を達成するため、本発明に係るプリンタの特徴は、回転可能に設けられたプラテンローラと、前記プラテンローラに圧接可能に設けられた記録ヘッドと、記録媒体を前記プラテンローラと前記記録ヘッドとの圧接位置の方向に案内するガイド部材とを有し、前記ガイド部材を、搬送される記録媒体における前記記録ヘッド側に位置し、前記プラテンローラの周面であって記録媒体の搬送方向における前記圧接位置よりも下流側に、前記プラテンローラに対する前記記録ヘッドの圧接力より低い圧力によって当接させるように設けた点にある。
【００１３】
この本発明に係るプリンタによれば、ガイド部材の先端はプラテンローラに対して、記録ヘッドのプラテンローラに対する圧接力よりも低い圧力をもって当接されている。このため、記録媒体の先端部を、給紙ローラの回転による搬送方向への力によってプラテンローラとガイド部材との当接位置に深く差し込みながら、プラテンローラの回転による搬送方向と逆方向への力によって記録媒体の搬送を停止することができる。
【発明の効果】
【００１４】
以上述べたように、本発明に係るプリンタによれば、記録媒体を当接位置に深く差し込むことができ、これにより記録媒体の適正な位置合わせを行うことができる。また、プラテンローラとガイド部材によって記録媒体の先端を確実に挟持することができ、これにより、プラテンローラの回転によって記録媒体を安定して搬送することができるので、記録媒体の位置ずれを防止することができる。
【発明を実施するための最良の形態】
【００１５】
以下、本発明に係るプリンタの一実施形態を図１から図４を参照して説明する。ここで、本実施形態においてはライン型の記録ヘッドを備えたプリンタを用いて説明する。
【００１６】
図１は、本実施形態に係るプリンタを示す断面図、図２は、図１のプリンタにおける一側面図（図１における手前側の側面図）、図３は図１のプリンタにおける右側面図（図１における向こう側の側面図）である。
【００１７】
図１に示すように、本実施形態に係るプリンタ１の一側（図１において左側）には、記録媒体２の幅寸法に対応する幅寸法の円柱形状のプラテンローラ３が回転可能に設けられており、このプラテンローラ３の図示しない回転軸の一端部には、図２に示すように、第１プラテン用ギア４ａが固着され、前記回転軸の他端部には、図３に示すように、第２プラテン用ギア４ｂが固着されている。第１プラテン用ギア４ａは、それぞれ係合された複数のギア５を介して、プリンタ１に設けられたモータ６の回転動力を受けるようになっている。
【００１８】
プリンタ１の他側（図１において右側）には、複数の記録媒体２を収納する用紙トレイ８が設けられており、用紙トレイ８におけるプラテンローラ３の配設側の近傍であって収納された記録媒体２の下側には、給紙ローラ９が設けられている。また、用紙トレイ８におけるプラテンローラ３の配設側であって収納された記録媒体２の上側には板ばね１０が設けられており、この板ばね１０は、記録媒体２の一端部分における上面に対し弾力をもって圧接され、この板ばね１０の負荷によって記録媒体２は下側に押されるようになっている。これにより、用紙トレイ８に収納された記録媒体２のうち最も下側に位置する記録媒体２の一端部分下面は給紙ローラ９の周面に当接されるようになっている。
【００１９】
給紙ローラ９の図示しない回転軸の一端部には、図３に示すように給紙ローラ９用ギア１２が固着されており、この給紙ローラ９用ギア１２は、複数のギア１３および揺動板１４を介して第２プラテン用ギア４ｂに係合されている。
【００２０】
そして、図２および図３に示すように、モータ６が一方向（本実施形態においては図２における反時計回り）に回転すると、その回転動力が複数のギア５を介して第１プラテン用ギア４ａに伝達され、プラテンローラ３は前記搬送方向と逆方向に回転するようになっている。
【００２１】
また、プラテンローラ３の搬送方向と逆方向への回転の回転動力は、第２プラテン用ギア４ｂから複数のギア１３を介して給紙ローラ９用ギア１２に伝達され、給紙ローラ９は搬送方向と同一方向に回転するようになっている。
【００２２】
一方、モータ６が他方向（本実施形態においては図２における時計回り）に回転すると、その回転動力が複数のギアを介して第１プラテン用ギア４ａに伝達され、プラテンローラ３は搬送方向と同一方向に回転するようになっている。また、プラテンローラ３が搬送方向と同一方向に回転すると、その回転によって揺動板１４が揺動し、揺動板１４に固着された図示しない１のギアと他のギアとの係合が外れるようになっており、これによりモータ６からの回転動力は給紙ローラ９に伝達されず、給紙ローラ９は回転しないようになっている。
【００２３】
すなわち、モータ６が一方向に回転するとき、プラテンローラ３が搬送方向と逆方向に回転する一方、給紙ローラ９は搬送方向と同一方向に回転する。また、モータ６が他方向に回転するとき、プラテンローラ３が搬送方向と同一方向に回転する一方、給紙ローラ９は回転しないようになっており、これにより、１つのモータ６の回転によって、プラテンローラ３および給紙ローラ９を所定の方向に回転させることができるようになっている。
【００２４】
プラテンローラ３の幅方向に対向する位置には、プラテンローラ３の幅寸法に対応する長さの記録ヘッド１６が設けられており、記録ヘッド１６のプラテンローラ３に対向する位置には、複数の発熱素子１７がプラテンローラ３の幅寸法に対向するようにライン状に整列配置して設けられている。
【００２５】
プリンタ１における用紙トレイ８からプラテンローラ３と記録ヘッド１６の圧接位置２２までの記録媒体２の搬送経路１９（図１の２点鎖線参照）には、記録媒体２の両面側に、記録媒体２の搬送を案内するガイド部材２０、２０ａが、給紙ローラ９の近傍からプラテンローラ３の周面近傍に至るように設けられている。
【００２６】
これらガイド部材２０、２０ａは、記録媒体２の幅寸法に対応する幅寸法によって設けられており、これらガイド部材２０、２０ａのうち記録ヘッド１６側に位置する第１ガイド部材２０ａの先端部は、図４に示すように、プラテンローラ３の周面であって記録媒体２の搬送方向における前記圧接位置２２よりも下流側に当接するように設けられている。第１ガイド部材２０ａは、プラテンローラ３に対し圧接ばね等を利用して弾力をもって当接されているとよく、この第１ガイド部材２０ａのプラテンローラ３に対する当接力は、記録ヘッド１６のプラテンローラ３に対する圧接力よりも低い圧力とする。
【００２７】
次に、本実施形態の作用について説明する。
【００２８】
まず、前記プリンタ１において記録を開始する際、モータ６を一方向に回転するように駆動する。このモータ６の回転の回転動力が、複数のギア５を介して第１プラテン用ギア４ａに伝達され、プラテンローラ３が搬送方向と逆方向に回転する。
【００２９】
続いて、プラテンローラ３の搬送方向と逆方向への回転の回転動力が、第２プラテン用ギア４ｂから複数のギア１３を介して給紙ローラ９用ギア１２に伝達され、給紙ローラ９が搬送方向と同一方向に回転する。
【００３０】
用紙トレイ８に収納された記録媒体２の下面には給紙ローラ９の周面が当接しており、給紙ローラ９の回転により、給紙ローラ９の周面に当接されている記録媒体２が搬送方向に搬送される。
【００３１】
搬送されている記録媒体２は、ガイド部材２０、２０ａに案内されてプラテンローラ３の周面に到達し、プラテンローラ３の周面に当接しながら第１ガイド部材２０ａとプラテンローラ３との当接位置２３まで搬送され、前記当接位置２３に差し込まれる。
【００３２】
そして、記録媒体２が前記当接位置２３に到達した後、所定時間モータ６を他方向に回転させる。
【００３３】
すると、プラテンローラ３は搬送方向と逆方向に回転することとなるので、前記当接位置２３に差し込まれプラテンローラ３に当接している記録媒体２には、給紙ローラ９の回転による搬送方向への力が加わるとともに、プラテンローラ３の回転による搬送方向と逆方向への力が加わることとなる。また、第１ガイド部材２０ａの先端は、プラテンローラ３の周面に対し、記録ヘッド１６のプラテンローラ３に対する圧接力よりも低い圧力をもって当接されている。このため、記録媒体２は前記圧接位置２２に深く差し込まれながら、前記圧接位置２２において搬送が停止される。これにより、前記圧接位置２２において記録媒体２の位置合わせが行われる。
【００３４】
次に、記録媒体２の位置合わせを行った後、モータ６を他方向に回転するように駆動する。すると、このモータ６の他方向への回転の回転動力が、複数のギアを介して第１プラテン用ギア４ａに伝達され、プラテンローラ３が搬送方向と同一方向に回転する。これにより、圧接位置２２に深く差し込まれプラテンローラ３と第１ガイド部材２０ａとの間に挟持された記録媒体２について、プラテンローラ３の回転によって搬送方向への搬送が再開される。
【００３５】
そして、記録媒体２の記録開始位置が記録ヘッド１６とプラテンローラ３との圧接位置２２に到達すると、所望の各発熱素子１７を発熱させ、これにより記録媒体２上に所望の画像を記録する。
【００３６】
本実施形態によれば、第１ガイド部材２０ａの先端はプラテンローラ３に対して、記録ヘッド１６のプラテンローラ３に対する圧接力よりも低い圧力をもって当接されている。このため、記録媒体２の先端部を、給紙ローラ９の回転による搬送方向への力によって、当接位置２３に深く差し込みながら、プラテンローラ３の回転による搬送方向と逆方向への力によって記録媒体２の搬送を停止することができる。
【００３７】
したがって、記録媒体２を当接位置２３に深く差し込むことにより、記録媒体２の適正な位置合わせを行うことができる。また、プラテンローラ３と第１ガイド部材２０ａによって記録媒体２の先端を確実に挟持することができ、これにより、プラテンローラ３の回転によって記録媒体２を安定して搬送することができるので、記録媒体２の位置ずれを防止することができる。
【００３８】
なお、本発明は前記実施形態に限定されるものではなく、必要に応じて種々変更することが可能である。
【００３９】
例えば、本実施形態においてはモータ６の回転動力を複数のギア等を介してプラテンローラ３や給紙ローラ９に伝達させ、これによりプラテンローラ３等を回転させているが、本実施形態に限定されるものではなく、給紙ローラ９が搬送方向と同一方向に回転するときにプラテンローラ３が搬送方向と逆方向に回転し、プラテンローラ３が搬送方向と同一方向に回転するときに給紙ローラ９の回転が停止しまたは搬送方向と同一方向に回転すればよい。
【図面の簡単な説明】
【００４０】
【図１】本発明に係るプリンタの一実施形態を示す断面図
【図２】図１のプリンタを示す一側面図
【図３】図１のプリンタを示す他側面図
【図４】図１のプリンタの要部を示す拡大図
【図５】従来のプリンタの一例を示す断面図
【図６】図５のプリンタの要部を示す拡大図
【符号の説明】
【００４１】
１  プリンタ
２  記録媒体
３  プラテンローラ
８  用紙トレイ
９  給紙ローラ
１６  記録ヘッド
１９  搬送経路
２０  ガイド部材
２０ａ  第１ガイド部材
２２  圧接位置
２３  当接位置
【図１】
2005305818.tif 000003
【図２】
2005305818.tif 000004
【図３】
2005305818.tif 000005
【図４】
2005305818.tif 000006
【図５】
2005305818.tif 000007
【図６】
2005305818.tif 000008